(57)【要約】  【課題】  １つの送電装置で異なる種類の受電機器に電力を供給することができるとともに、前記受電機器を用いて料金の精算を行うことができる電力供給システムを提供する。  【解決手段】  １次側コイル１１と、商用電源を整流平滑して得た直流電圧をスイッチングしたパルス電圧を前記１次側コイルに与える１次側回路１０とを有する送電装置１と、１次側コイル１１と磁気結合される２次側コイル１２と、２次側コイル１２に誘起される誘起電圧を整流平滑する２次側回路１３とを有する携帯電話機２とから成る電力供給システムにおいて、送電装置１と携帯電話機２と送電装置１に接続されたサーバ５との間で情報信号を伝送する信号伝送制御回路（信号伝送制御手段）１９と、携帯電話機２から送電装置１に伝送される情報信号が示す携帯電話機２の電力に応じて送電電力を調整する電力供給制御回路（電力調整手段）１８を設ける。【選択図】      図１
2005110421.tif 000002
【特許請求の範囲】
【請求項１】
商用電源が与えられる送電装置から受電機器へ電気的に非接触な方式で電力を供給する電力供給システムにおいて、
前記送電装置と受電機器と前記送電装置に接続された外部装置との間で情報信号を伝送する信号伝送制御手段を設けたことを特徴とする電力供給システム。
【請求項２】
商用電源が与えられる送電装置から受電機器へ電気的に非接触な方式で電力を供給する電力供給システムにおいて、
前記送電装置と受電機器と前記送電装置に接続された外部装置との間で情報信号を伝送する信号伝送制御手段と、
前記受電機器から前記送電装置に伝送される情報信号が示す前記受電機器の電力に応じて送電電力を調整する電力調整手段と、
を設けたことを特徴とする電力供給システム。
【請求項３】
１次側コイルと、商用電源を整流平滑して得た直流電圧をスイッチングしたパルス電圧を前記１次側コイルに与える１次側回路とを有する送電装置と、
前記１次側コイルと磁気結合される２次側コイルと、該２次側コイルに誘起される誘起電圧を整流平滑する２次側回路とを有する受電機器と、
から成る電力供給システムにおいて、
前記送電装置と受電機器と前記送電装置に接続された外部装置との間で情報信号を伝送する信号伝送制御手段と、
前記受電機器から前記送電装置に伝送される情報信号が示す前記受電機器の電力に応じて送電電力を調整する電力調整手段と、
を設けたことを特徴とする電力供給システム。
【請求項４】
前記１次側コイルに定期的に搬送波を与える搬送波発振手段と、
前記搬送波に応答して前記受電機器から変調されて送信される情報信号を前記１次側コイルを介して受信して復調し、復調した情報信号を前記電力調整手段と前記外部装置に与える第１復調手段と、
前記外部装置から与えられる情報信号で前記搬送波発振手段からの搬送波を変調して前記１次側コイルを介して送信する第１変調手段と、
を前記１次側回路に有し、
前記２次側コイルに伝送される前記搬送波を検知する搬送波検知手段と、
前記搬送波から変調に必要なクロック信号を抽出するクロック抽出手段と、
前記搬送波検知手段が前記搬送波を検知したときに、前記受電機器の情報信号で前記クロック信号に基づいて前記搬送波を変調し前記２次側コイルを介して送信する第２変調手段と、
第１変調手段から送信される情報信号を前記２次側コイルを介して受信して復調する第２復調手段と、
を前記２次側回路に有していることを特徴とする請求項３に記載の電力供給システム。
【請求項５】
前記送電装置に近接して置かれた前記受電機器に電力供給をするとともに、前記信号伝送制御手段により前記送電装置を介して前記外部装置と受電機器との間で伝送される情報信号が料金の精算に必要な情報信号であり、前記受電機器を用いて前記精算を行う機能を有することを特徴とする請求項１〜請求項４のいずれかに記載の電力供給システム。
【請求項６】
前記送電装置が店に備えられたテーブルの天板に組み込まれ、前記天板の上に置かれた前記受電機器に電力供給をするとともに、前記外部装置が前記店のサーバであり、前記信号伝送制御手段により前記送電装置を介して前記サーバと受電機器との間で伝送される情報信号が、前記店で飲食した商品代金、及び／または、前記店で購入した商品代金、及び／または、前記店から受けたサービス料金の精算に必要な情報信号であり、前記受電機器を用いて前記精算を行う機能を有することを特徴とする請求項１〜請求項４のいずれかに記載の電力供給システム。
【請求項７】
前記送電装置が宿泊施設に備えられた器具に組み込まれ、前記器具に近接して置かれる前記受電機器に電力供給をするとともに、前記外部装置が前記宿泊施設のサーバであり、前記信号伝送制御手段により前記送電装置を介して前記サーバと受電機器との間で伝送される情報信号が、前記宿泊施設で飲食した商品代金、及び／または、前記宿泊施設で購入した商品代金、及び／または、前記宿泊施設から受けたサービス料金の精算に必要な情報信号であり、前記受電機器を用いて前記精算を行う機能を有することを特徴とする請求項１〜請求項４のいずれかに記載の電力供給システム。
【請求項８】
前記送電装置が駅のサーバに接続された切符発券機に組み込まれ、前記切符発券機に近接して置かれる前記受電機器に電力供給をするとともに、前記外部装置が前記サーバであり、前記信号伝送制御手段により前記送電装置を介して前記サーバと受電機器との間で伝送される情報信号が、前記受電機器の利用者の個人情報を含む前記切符発券機で購入する切符の精算に必要な情報信号であり、前記受電機器を用いて前記精算を行う機能を有することを特徴とする請求項１〜請求項４のいずれかに記載の電力供給システム。
【請求項９】
前記送電装置が駅の改札口に備えられた自動改札機に組み込まれ、前記自動改札機に近接して置かれる前記受電機器に電力供給をするとともに、前記外部装置が前記駅のサーバであり、前記信号伝送制御手段により前記送電装置を介して前記サーバと受電機器との間で伝送される情報信号が、発駅情報と前記受電機器の利用者の個人情報とを含む乗車料金の精算に必要な情報信号であり、前記受電機器を用いて前記精算を行う機能を有することを特徴とする請求項１〜請求項４のいずれかに記載の電力供給システム。
【発明の詳細な説明】
【技術分野】
【０００１】
本発明は、電子機器へ電力を供給する電力供給システムに関するものであり、特に、携帯電話やノートパソコン、デジタルカメラ、電子玩具等のモバイル可能な電子機器に電力を供給する電力供給システムに関するものである。
【背景技術】
【０００２】
従来のモバイル可能な電子機器への電力供給システムの例を図９〜図１１に示す。先ず、図９は、従来の電力供給システムを搭載した携帯電話機とその携帯電話機の端子接触型専用充電器（ＡＣアダプタ）の外観を示す外観図である。図９において、１０１は携帯電話機を示し、１０２は携帯電話機１０１に内蔵された蓄電池を充電するための端子接触型専用充電器（ＡＣアダプタ）のホルダーを示す。ＡＣアダプタのホルダー１０２には（ＡＣプラグ一体型の）ＡＣアダプタ１０２ａとコード１０２ｂが取り付けられており、壁面等に設けられたコンセントに（ＡＣプラグ一体型の）ＡＣプラグ１０２ａを差し込むことにより商用電源（ＡＣ１００Ｖ）がＡＣアダプタ１０２ａに供給される。そして、ＡＣアダプタ１０２ａは、供給されたＡＣ１００Ｖを携帯電話機１０１の蓄電池の充電に使用するＤＣ電圧に変換し、コード１０２ｂ及びＡＣアダプタのホルダー１０２及び携帯電話機１０１の受電電極と接触する送電電極を介して、このＤＣ電圧で携帯電話機１０１の蓄電池を充電する。また、このＤＣ電圧は直接、携帯電話機１０１の駆動電源とすることもできる。
【０００３】
次に、図１０は、従来の他の電力供給システムを搭載したノートパソコンとそのノートパソコンの専用充電器（ＡＣアダプタ）の外観を示す外観図である。図１０において、１０３はノートパソコンを示し、１０４はノートパソコン１０３に内蔵された蓄電池を充電するための専用充電器（ＡＣアダプタ）を示す。ＡＣアダプタ１０４にはＡＣプラグ１０４ａとコード１０４ｂ、１０４ｃが取り付けられており、壁面等に設けられたコンセントにＡＣプラグ１０４ａを差し込むことによりコード１０４ｂを介して商用電源（ＡＣ１００Ｖ）がＡＣアダプタ１０４に供給される。そして、ＡＣアダプタ１０４は、供給されたＡＣ１００Ｖをノートパソコン１０３の蓄電池の充電に使用するＤＣ電圧に変換し、コード１０４ｃを介して、このＤＣ電圧をノートパソコン１０３に供給し、内蔵された蓄電池を充電する。また、このＤＣ電圧は直接、ノートパソコン１０３の駆動電源とすることもできる。
【０００４】
次に、図１１は、従来の他の電力供給システムを搭載したシェーバーとそのシェーバーの非接触型専用充電器（ＡＣアダプタ）の外観を示す外観図である。図１１において、１０５はシェーバーを示し、１０６はシェーバー１０５に内蔵された蓄電池を充電するための非接触型専用充電器（ＡＣアダプタ）を示す。ＡＣアダプタ１０６にはＡＣプラグ１０６ａとコード１０６ｂが取り付けられており、壁面等に設けられたコンセントにＡＣプラグ１０６ａを差し込むことによりコード１０６ｂを介して商用電源（ＡＣ１００Ｖ）がＡＣアダプタ１０６に供給される。ＡＣアダプタ１０６は、供給されたＡＣ１００Ｖを一旦、直流電圧に変換した後にスイッチングし、磁気結合を利用した非接触電力供給方法によってシェーバー１０５の蓄電池に、充電に使用するＤＣ電圧を供給する。また、このＤＣ電圧は直接、シェーバー１０５の駆動電源とすることもできる。
【０００５】
また、本体の底部に２次側コイルを配設すると共に、充電器の本体載置部下に１次側コイルを配設し、本体を充電器の本体載置部に載置すると、本体載置部下に配設した１次側コイルと本体の底部に配設した２次側コイルが磁気結合され、本体内の蓄電池が充電される非接触充電装置において、本体のハウジングが、２次側コイルを縦断する面で分割された複数のハウジング部品を組み合わせて構成され、複数のハウジング部品の内、１つのハウジング部品にはその外周壁に連続して底壁が形成され、該底壁の内面に２次側コイルが配設され、且つ該底壁の外面は充電の際、充電器の本体載置部との接触面となる非接触充電装置がある（例えば、特許文献１参照）。
【特許文献１】特開２００１―１６７８９号公報
【発明の開示】
【発明が解決しようとする課題】
【０００６】
しかしながら、図９〜図１１に示すように、携帯電話機１０１、ノートパソコン１０３、シェーバー１０５の各電子機器の充電には各電子機器ごとに専用のＡＣアダプタが必要であり、それ以外のＡＣアダプタを使用することはできない、即ち、ＡＣアダプタ同士に互換性が無いため、家庭内には多くのＡＣアダプタがあふれているという問題があった。また、移動先や移動中の公共施設内でも、持っている電子機器の専用のＡＣアダプタを持ち歩かねばならず、このことがモバイル可能な電子機器の可搬性を大きく損ねていた。
【０００７】
また、特許文献１に記載の従来技術では、ハウジングの底部で接合したハウジング部品間に段差が生じるような心配がなく、１次側コイルと２次側コイル間の距離を一定に保つことができるので、本体の電子機器に安定した充電電流を供給することはできるが、非接触充電装置が充電できる電子機器の種類は、予め定められた１種類のみであり、複数の種類の電子機器を充電することはできないという問題があった。
【０００８】
ところで、喫茶店やレストランなどの飲食店で飲食後にレジで飲食代金等の精算を行う場合や、ホテルや旅館などの宿泊施設でチェックアウトのときにフロントで宿泊代金等の精算を行う場合、レジやフロントに多くの客が同時に精算に来ることがある。その場合、レジやフロントが込み合い、円滑に精算が行えないという問題があった。また、その精算作業のために、飲食店や宿泊施設の従業員がレジやフロントで待機しておく必要があるとう問題があった。
【０００９】
また、電車の切符を自動券売機で購入する際に、行先までの運賃を運賃表等から探して購入しなければならず、煩わしいという問題があった。更に、その場合、現金（小銭）を用意するという煩わしさも伴っていた。また、プリペイドカードを事前に購入しておき、このプリペイドカードを駅の改札口に備えられた自動改札機に通すことにより、乗車区間に応じた乗車料金が、このプリペイドカードに記録された残金から引かれるという支払い方法もあるが、このようなプリペイドカードは鉄道会社ごとに共通化されておらず、複数の鉄道会社の路線を乗り継ぐ場合には、多くの種類のプリペイドカードを持ち、それらを使い分けなければならないという問題があった。
【００１０】
本発明は、上記の点に鑑み、１つの送電装置で異なる種類の受電機器に電力を供給することができるとともに、前記受電機器を用いて料金の精算を行うことができる電力供給システムを提供することを目的とする。
【課題を解決するための手段】
【００１１】
上記目的を達成するために本発明は、商用電源が与えられる送電装置から受電機器へ電気的に非接触な方式で電力を供給する電力供給システムにおいて、前記送電装置と受電機器と前記送電装置に接続された外部装置との間で情報信号を伝送する信号伝送制御手段を設けたものである。このようにすると、前記受電機器を用いて料金の精算を行うことができる電力供給システムが実現できる。
【００１２】
また、本発明は、商用電源が与えられる送電装置から受電機器へ電気的に非接触な方式で電力を供給する電力供給システムにおいて、前記送電装置と受電機器と前記送電装置に接続された外部装置との間で情報信号を伝送する信号伝送制御手段と、前記受電機器から前記送電装置に伝送される情報信号が示す前記受電機器の電力に応じて送電電力を調整する電力調整手段とを設けたものである。このようにすると、１つの送電装置で異なる種類の受電機器に電力を供給することができるとともに、前記受電機器を用いて料金の精算を行うことができる電力供給システムが実現できる。
【００１３】
また、本発明は、１次側コイルと、商用電源を整流平滑して得た直流電圧をスイッチングしたパルス電圧を前記１次側コイルに与える１次側回路とを有する送電装置と、前記１次側コイルと磁気結合される２次側コイルと、該２次側コイルに誘起される誘起電圧を整流平滑する２次側回路とを有する受電機器とから成る電力供給システムにおいて、前記送電装置と受電機器と前記送電装置に接続された外部装置との間で情報信号を伝送する信号伝送制御手段と、前記受電機器から前記送電装置に伝送される情報信号が示す前記受電機器の電力に応じて送電電力を調整する電力調整手段とを設けたものである。このようにすると、１つの送電装置で異なる種類の受電機器に電力を供給することができるとともに、前記受電機器を用いて料金の精算を行うことができる電力供給システムが実現できる。
【００１４】
また、例えば、前記１次側コイルに定期的に搬送波を与える搬送波発振手段と、前記搬送波に応答して前記受電機器から変調されて送信される情報信号を前記１次側コイルを介して受信して復調し、復調した情報信号を前記電力調整手段と前記外部装置に与える第１復調手段と、前記外部装置から与えられる情報信号で前記搬送波発振手段からの搬送波を変調して前記１次側コイルを介して送信する第１変調手段とを前記１次側回路に有し、前記２次側コイルに伝送される前記搬送波を検知する搬送波検知手段と、前記搬送波から変調に必要なクロック信号を抽出するクロック抽出手段と、前記搬送波検知手段が前記搬送波を検知したときに、前記受電機器の情報信号で前記クロック信号に基づいて前記搬送波を変調し前記２次側コイルを介して送信する第２変調手段と、第１変調手段から送信される情報信号を前記２次側コイルを介して受信して復調する第２復調手段とを前記２次側回路に有していると良い。
【００１５】
このようにすると、前記受電機器から送信され前記第１復調手段で復調された前記受電機器の電力に関する情報信号に応じて、前記送電装置からの送電電力を調整することができるとともに、前記受電機器からの送信は、前記送電装置からの搬送波を利用して行うことができるので、前記情報信号を送信するための搬送波の発振回路や情報信号を送信するための制御回路等に使用する電源が前記２次側回路に不要となり、前記受電機器の回路を簡素化できる。また、第１変調手段及び第２復調手段を介して前記外部装置から受電機器へ情報信号を送信でき、第２変調手段及び第１復調手段を介して前記受電機器から外部装置へ情報信号を送信できる。即ち、前記外部装置と受電機器との間で情報信号を送受信することができる。
【００１６】
また、例えば、前記送電装置に近接して置かれた前記受電機器に電力供給をするとともに、前記信号伝送制御手段により前記送電装置を介して前記外部装置と受電機器との間で伝送される情報信号が料金の精算に必要な情報信号であり、前記受電機器を用いて前記精算を行う機能を有すると、異なる種類の受電機器に電力を供給することができるとともに、料金の精算に現金を準備する必要がなくなるとともに、レジやフロントというような精算を行う場所に行って精算を行う必要もなくなる。
【００１７】
また、例えば、前記送電装置が店に備えられたテーブルの天板に組み込まれ、前記天板の上に置かれた前記受電機器に電力供給をするとともに、前記外部装置が前記店のサーバであり、前記信号伝送制御手段により前記送電装置を介して前記サーバと受電機器との間で伝送される情報信号が、前記店で飲食した商品代金、及び／または、前記店で購入した商品代金、及び／または、前記店から受けたサービス料金の精算に必要な情報信号であり、前記受電機器を用いて前記精算を行う機能を有すると良い。
【００１８】
このようにすると、前記店の各テーブルで異なる種類の受電機器に電力を供給することができるとともに、前記各テーブルで精算処理を行なうことができるため、多くの客が同時に精算を行い、レジが混み合って待たされるというようなことがなくなる。また、精算のために必ず店員がレジに待機しておく必要もなくなる。
【００１９】
また、例えば、前記送電装置が宿泊施設に備えられた器具に組み込まれ、前記器具に近接して置かれる前記受電機器に電力供給をするとともに、前記外部装置が前記宿泊施設のサーバであり、前記信号伝送制御手段により前記送電装置を介して前記サーバと受電機器との間で伝送される情報信号が、前記宿泊施設で飲食した商品代金、及び／または、前記宿泊施設で購入した商品代金、及び／または、前記宿泊施設から受けたサービス料金の精算に必要な情報信号であり、前記受電機器を用いて前記精算を行う機能を有すると良い。
【００２０】
このようにすると、前記宿泊施設の各部屋で異なる種類の受電機器に電力を供給することができるとともに、前記各部屋で精算処理を行なうことができるため、多くの客が同時に精算を行い、フロントが混み合うこともなく、精算に備えて従業員が必ずフロントに待機しておく必要もないという利点がある。
【００２１】
また、例えば、前記送電装置が駅のサーバに接続された切符発券機に組み込まれ、前記切符発券機に近接して置かれる前記受電機器に電力供給をするとともに、前記外部装置が前記サーバであり、前記信号伝送制御手段により前記送電装置を介して前記サーバと受電機器との間で伝送される情報信号が、前記受電機器の利用者の個人情報を含む前記切符発券機で購入する切符の精算に必要な情報信号であり、前記受電機器を用いて前記精算を行う機能を有すると良い。
【００２２】
このようにすると、前記受電機器が充電池を有する場合、切符を買うときに補充電を行なうため前記受電機器の充電池の消耗を防ぐことが可能である。また、現金での支払いがないため、現金を持ち歩く必要もなく、万一持ち合わせがない場合でも切符を購入することができるというメリットがある。また、鉄道会社ごとに複数のプリペイドカードを持つ必要もなくなる。
【００２３】
また、例えば、前記送電装置が駅の改札口に備えられた自動改札機に組み込まれ、前記自動改札機に近接して置かれる前記受電機器に電力供給をするとともに、前記外部装置が前記駅のサーバであり、前記信号伝送制御手段により前記送電装置を介して前記サーバと受電機器との間で伝送される情報信号が、発駅情報と前記受電機器の利用者の個人情報とを含む乗車料金の精算に必要な情報信号であり、前記受電機器を用いて前記精算を行う機能を有すると良い。
【００２４】
このようにすると、行先までの乗車料金を探して切符を購入するという煩わしい作業をせずとも前記駅の交通手段に乗車することができる。また、現金での支払いがないため、現金を持ち歩く必要もなく、万一持ち合わせがない場合でも前記交通手段を利用することができるというメリットがある。また、交通手段ごとのプリペイドカードを持つ必要もなくなる。
【発明の効果】
【００２５】
本発明によれば、商用電源が与えられる送電装置から受電機器へ電気的に非接触な方式で電力を供給する電力供給システムにおいて、前記送電装置と受電機器と前記送電装置に接続された外部装置との間で情報信号を伝送する信号伝送制御手段と、前記受電機器から前記送電装置に伝送される情報信号が示す前記受電機器の電力に応じて送電電力を調整する電力調整手段とを設けたので、１つの送電装置で異なる種類の受電機器に電力を供給することができるとともに、前記受電機器を用いて料金の精算を行うことができる電力供給システムが実現できる。
【発明を実施するための最良の形態】
【００２６】
以下に、本発明の実施形態を図面を参照して説明する。図１は、本発明の実施形態の電力供給システムの電気的構成を示すブロック図である。図１において、１は電力を供給する送電装置を示し、この送電装置１は飲食店等の店に備えられた複数のテーブルの天板（不図示）に組み込まれている。また、２は受電機器である携帯電話機を示し、送電装置１が組み込まれたテーブルの天板の上に載置されているものとする。
【００２７】
送電装置１は、店の壁面に設けられたコンセント等から商用電源（ＡＣ１００Ｖ）を供給され、供給されたＡＣ１００Ｖは１次側回路１０に与えられる。そして、１次側回路１０の内部で電源用回路１７により整流、平滑されて、一旦、直流電圧に変換される。そして、この直流電圧が電力供給制御回路（電力調整手段）１８によりスイッチングされてパルス電圧に変換され、１次側コイル１１に与えられることにより、携帯電話機２が有する２次側コイル１２を介して電力が携帯電話機２に非接触伝送方式で供給され、２次側回路１３、充電制御回路１４により携帯電話機２が充電される。
【００２８】
ここで、図２を参照して非接触伝送方式の原理を説明する。図２は、図１に示す送電装置１と携帯電話機２の内部の概略構成を説明するための図であり、（ａ）は送電装置１と携帯電話機２の全体を示し、（ｂ）はコイル部分を拡大して示している。図２において、図１と同一の部分には同一の符号を付している。図２（ａ）に示すように、送電装置１は１次側回路１０と１次側コイル１１を備えており、携帯電話機２は２次側コイル１２と２次側回路１３と充電制御回路１４を備えている。
【００２９】
１次側回路１０は供給されたＡＣ１００Ｖを全波整流し平滑して、一旦、直流電圧にした後、その直流電圧をスイッチングしたパルス電圧を１次側コイル１１に与える。１次側コイル１１と２次側コイル１２とは、図２（ｂ）に示すように、１次側コア（フェライト）１５と２次側コア（フェライト）１６とが磁気結合されたトランスを形成しており、１次側コイル１１にスイッチングされたパルス電圧が与えられると、２次側コイル１２には磁気結合により１次側コイル１１と２次側コイル１２との巻数比に応じた電圧が誘起される。
【００３０】
そして、その誘起された誘起電圧を２次側回路１３で全波整流し平滑した直流電圧を充電制御回路１４に与え、充電制御回路１４はその与えられたＤＣ電圧で蓄電池（不図示）を充電する。このようにして、送電装置１から携帯電話機２への非接触電力供給が行われる。尚、このＤＣ電圧は直接、携帯電話機２の駆動電源とすることもできる。
【００３１】
また、上述した非接触伝送方式で、電力のみならず、種々の情報信号が送電装置１と携帯電話機２との間で送受信される。そして、送電装置１は送電装置１の上に載置された携帯電話機２から伝達された情報信号により、携帯電話機２の電力を認識して、携帯電話機２に必要な電力を送電する機能を有している。そのため、携帯電話機２に限らず、充電に必要な電力が異なる他の電子機器であっても１つの送電装置１により充電することが可能である。
【００３２】
例えば、デジタルカメラ、ビデオカメラ、ＰＤＡ等の蓄電池を有する電子機器であれば、同様に充電することが可能である。また、送電装置１は、図１に示すように、ＡＣ１００Ｖの入力状態や受電機器への電力供給状態等を示す発光ダイオードＬＥＤ１、ＬＥＤ２（以下、単にＬＥＤ１、ＬＥＤ２と呼称する）を備えている。このＬＥＤ１、ＬＥＤ２の機能や動作等については後述する。
【００３３】
また、図１に示すように、送電装置１は店内のネットワーク６を介して店のサーバ（外部装置）５に接続されており、サーバ５には店員などが有するＰＯＳ端末４から客の注文情報等が送信されるようになっている。尚、このネットワーク６はワイヤレスであっても良い。そして、送電装置１の精算処理要求ボタン２０が押されると、押された精算処理要求ボタン２０を備えた送電装置１が組み込まれたテーブルの客が店で飲食した商品代金、及び／または、店で購入した商品代金、及び／または、店から受けたサービス料金の精算に必要な精算情報信号が、上述した非接触伝送方式により、送電装置１の信号伝送制御回路（信号伝送制御手段）１９により、送電装置１を介してサーバ５と携帯電話機２との間で送受信される。そして、サーバ５と携帯電話機２との間で送受信される精算情報信号に基づき、携帯電話機２のモバイルバンキング機能により前記精算が行われる。
【００３４】
図３は、図１、図２に示す送電装置と携帯電話機の電気的構成を示すブロック図である。図３において、図１、図２と同一の部分には同一の符号を付し、その詳細な説明を省略する。図３において、送電装置１に外部から商用電源（ＡＣ１００Ｖ）が供給され、この供給されたＡＣ１００Ｖは１次側回路１０内の整流回路２１で全波整流された後、コイルＬ１とコンデンサＣ１とから成る平滑回路で平滑されて直流電圧に変換される。そして、その直流電圧をスイッチング回路２２によりスイッチングしたパルス電圧がトランジスタＴＲ１１、ＴＲ１２、ＴＲ１３を介して１次側コイル１１に与えられる。尚、整流回路２１、コイルＬ１、コンデンサＣ１、スイッチング回路２２は、図１に示す電源用回路１７に相当する。
【００３５】
トランジスタＴＲ１１、ＴＲ１２、ＴＲ１３はいずれもＮＰＮ型のトランジスタであり、いずれもコレクタがスイッチング回路２２の出力端に接続されている。また、トランジスタＴＲ１１のエミッタは１次側コイル１１の一端に接続され、１次側コイル１１の他端はグランドに接続されている。また、１次側コイル１１はグランドに接続されたコイル端から遠い方から順に、即ち、巻数の多い方から順にタップａ，ｂ，ｃを有しており、トランジスタＴＲ１２のエミッタはタップａに接続され、トランジスタＴＲ１３のエミッタはタップｂに接続されている。また、タップｃは、送電装置１の送電電力を調整するとともに情報信号を送受信する送電制御ＩＣ（電力調整手段、信号伝送制御手段）２４の図１に示す信号伝送制御回路１９に相当する第１復調回路（第１復調手段）３６と搬送波発振回路（搬送波発振手段）３７と第１変調回路（第１変調手段）３８に接続されている。尚、第１復調回路３６、搬送波発振回路３７、第１変調回路３８は、図１に示す信号伝送制御回路１９に相当する。
【００３６】
また、トランジスタＴＲ１１、ＴＲ１２、ＴＲ１３のベースはそれぞれ送電制御ＩＣ２４の電力切替回路３２に接続されている。この送電制御ＩＣ２４は、ＬＥＤ表示回路３１、電力切替回路３２、送電可否判定回路３３、電力量判定回路３４、満充電判定回路３５、第１復調回路３６、搬送波発振回路３７、第１変調回路３８から構成されたＩＣであり、送電装置１の小型薄型化のためにＩＣチップ化されている。それぞれの回路の機能や動作については後述する。尚、ＬＥＤ表示回路３１、電力切替回路３２、送電可否判定回路３３、電力量判定回路３４、満充電判定回路３５、及びトランジスタＴＲ１１、ＴＲ１２、ＴＲ１３は、図１に示す電力供給制御回路１８に相当する。また、トランジスタＴＲ１１、ＴＲ１２、ＴＲ１３はＭＯＳＦＥＴ等の他のスイッチング素子であっても良いし、セレクタスイッチ等でも良い。
【００３７】
また、スイッチング回路２２によりスイッチングされたパルス電圧はトランス２３にも与えられ、トランス２３によって所定の電圧に変換された後、整流回路２５で整流され、コイルＬ２とコンデンサＣ２とから成る平滑回路で平滑されて直流電圧に変換される。この直流電圧は１次側回路１０の制御用の電源Ｖｃｃとして、１次側回路１０の各制御回路等に与えられる。
【００３８】
また、電源ＶｃｃにＮＰＮ型のトランジスタＴＲ１、ＴＲ２のコレクタが接続され、トランジスタＴＲ１のエミッタは電流制限用の抵抗Ｒ１を介してＬＥＤ１のアノードに接続され、ＬＥＤ１のカソードはグランドに接続されている。一方、トランジスタＴＲ２のエミッタは電流制限用の抵抗Ｒ２を介してＬＥＤ２のアノードに接続され、ＬＥＤ２のカソードはグランドに接続されている。また、トランジスタＴＲ１、ＴＲ２の各ベースは送電制御ＩＣ２４のＬＥＤ表示回路３１に接続されている。
【００３９】
このような構成によりＬＥＤ表示回路３１がトランジスタＴＲ１をオンさせるとＬＥＤ１が発光し、トランジスタＴＲ２をオンさせるとＬＥＤ２が発光する。但し、図示しない点灯制御回路等により、ＬＥＤ１はＬＥＤ表示回路３１からの信号に応じて赤色、黄色、緑色、紫色、橙色に発光する機能を有しており、ＬＥＤ２は同様に赤色、緑色に発光する機能を有している。尚、トランジスタＴＲ１、ＴＲ２はＭＯＳＦＥＴ等の他のスイッチング素子であっても良い。
【００４０】
次に、携帯電話機２側の説明を行う。２次側コイル１２の両端に平滑用のコンデンサＣ４と整流回路４１が接続されており、２次側コイル１２に誘起された誘起電圧は整流回路４１で全波整流された後、コイルＬ３とコンデンサＣ３とから成る平滑回路で平滑されて直流電圧に変換される。そして、この直流電圧が２次側回路１３の受電制御を行う受電制御ＩＣ（信号伝送制御手段）４２のパワーオンリセット回路（搬送波検知手段）４４、電圧クランプ回路４６、レギュレータ４７に与えられる。
【００４１】
パワーオンリセット回路４４は、後述する１次側回路１０から伝送される搬送波が変換された直流電圧を検知することにより送電装置１から情報信号の要求があったと判断して受電制御ＩＣ４２をリセットして情報信号の送信を開始させるための回路である。また、電圧クランプ回路４６は、変換された直流電圧を所定の電圧にクランプして各回路が電圧破壊されることを防止するための回路であり、レギュレータ４７はこの変換された直流電圧を充電に使用される所定の電圧に変換して充電制御回路１４に供給するための回路である。また、受電制御ＩＣ４２は、更に、２次側コイル１２に接続されたクロック抽出回路（クロック抽出手段）４３と第２変調回路（第２変調手段）４５と第２復調回路（第２復調手段）４８を備えており、１次側コイル１１及び２次側コイル１２を介して送受信される情報信号の信号処理を行う。尚、この受電制御ＩＣ４２は、携帯電話機２の小型薄型化のためにＩＣチップ化されている。
【００４２】
次に、このような構成の送電装置１と携帯電話機２の電力供給動作を図４を参照して説明する。図４は、送電装置１の電力供給動作を示すフローチャートである。送電装置１はＡＣ１００Ｖが供給されたときに動作を開始する。先ず、ＡＣ１００Ｖが入力されると、送電制御ＩＣ２４に制御用の電源Ｖｃｃが供給されるので、ＬＥＤ表示回路３１はＬＥＤ１を赤色に点灯させ、ＬＥＤ２を消灯させる（ステップＳ１）。そして、搬送波発振回路３７は、所定の搬送波を一定間隔で出力し（ステップＳ２）、受電機器が送電装置１の上に載置されているかどうかを判断する（ステップＳ３）。この受電機器が載置されているかどうかを判断する方法を以下に説明する。
【００４３】
搬送波発振回路３７から出力された搬送波は１次側コイル１１のタップｃに与えられ、送電装置１の上に携帯電話機２が載置されている場合は、磁気結合された２次側コイル１２に伝送される。この２次側コイル１２に伝送された搬送波は整流回路４１、コイルＬ３、コンデンサＣ３により整流、平滑されて直流電圧に変換される。そして、この搬送波が変換された直流電圧をパワーオンリセット回路４４で検出して、搬送波が伝送されてきたことを認識する。そして、２次側コイル１２に接続されたクロック抽出回路４３は、その搬送波から変調に必要となるクロック信号を抽出し、第２変調回路４５は、携帯電話機２の情報である“受電機器であることを示すコード”、“消費電力の情報”、“満充電の情報”に基づいて搬送波を変調した変調波を２次側コイル１２に与える。このときの変調方式は、搬送波を周期的に強度変調し、信号の位相変化情報で０／１情報を表現する位相変調方式を用いている。このように、送電装置１から伝送された搬送波から変調に必要なクロック信号を抽出するので、受電機器である携帯電話機２内に発信回路を有する必要がなく、更に、クロック抽出回路４３、第２変調回路４５、第２復調回路４８の駆動電力は搬送波により供給される電力を用いるので、受電機器である携帯電話機２内にこれらの駆動電源は必要なく、回路を簡素化できる。
【００４４】
第２変調回路４５から２次側コイル１２に与えられた変調波は、磁気結合された１次側コイル１１に伝送される。そして、１次側コイル１１のタップｃに接続された第１復調回路３６は、伝送された変調波を受信して復調し、復調した“受電機器であることを示すコード”、“消費電力の情報”、“満充電の情報”を送電可否判定回路３３、電力量判定回路３４、満充電判定回路３５に与える。ここで、送電可否判定回路３３は、“受電機器であることを示すコード”に基づいて、受電機器が送電装置１の上に載置されているかどうかを判断する（ステップＳ３）。所定の“受電機器であることを示すコード”が受信できていれば、受電機器が送電装置１の上に載置されていると認識し、次に、受電機器が送電装置１の上に正しく載置されているかどうかを判断する（ステップＳ４）。一方、所定の“受電機器であることを示すコード”が受信できていなければ、受電機器が送電装置１の上に載置されていないと判断して再び搬送波を出力する（ステップＳ２）。
【００４５】
次に、受電機器が送電装置１の上に正しく載置されているかどうかの判断であるが、受電機器が送電装置１の上に正しく載置されているという意味は、非接触電力供給において、送電側のコイルと受電側のコイルとが電力の伝達効率が高い位置に配置されているかどうか、換言すれば、図２に示した送電装置１の１次側コア１５と受電機器である携帯電話機２の２次側コア１６の磁気結合が高い結合度になる位置に送電装置１と携帯電話機２とが配置されているかどうかという意味である。
【００４６】
そして、送電装置１と携帯電話機２との位置のずれ量が大きくなるほど電力の伝達効率は悪くなるので、電力の伝達効率が著しく低い場合は、送電装置１から送電を行っても携帯電話機２は受電できないということになり、送電を行う意味がなくなるので、送電装置１と携帯電話機２との位置のずれ量が所定のずれ量を超えたかどうかを判定し（ステップＳ４）、超えている場合は送電装置１からの送電は行わないこととし、警告表示としてＬＥＤ１を橙色に点灯させ、ＬＥＤ２は消灯させる（ステップＳ５）。また、このとき、警告音を発生させるようにしても良い。
【００４７】
一方、送電装置１と携帯電話機２との位置のずれ量が所定のずれ量を超えていない場合は、送電する電力量を判定する処理に移行する（ステップＳ６）。この判定処理は、第１復調回路３６で復調された“消費電力の情報”に基づいて、電力量判定回路３４で行われ、“消費電力の情報”に基づいて携帯電話機２の電力を認識し、その電力に応じて送電出力を大、中、小の３段階に調整する。電力量判定回路３４からの判定結果はＬＥＤ表示回路３１と電力切替回路３２に伝えられ、大、中、小の判定結果に応じて、以下のような処理が行われる。
【００４８】
先ず、判定結果が小の場合、ＬＥＤ表示回路３１は、小電力送電を行うという意味で、ＬＥＤ１を黄色に点灯させ、ＬＥＤ２を赤色で点滅させる（ステップＳ７）。また、電力切替回路３２はトランジスタＴＲ１１をオンする。トランジスタＴＲ１１がオンすると、スイッチング回路２２からのパルス電圧が１次側コイル１１の巻線全体に印加され、送電が開始される（ステップＳ８）。次に、判定結果が中の場合、ＬＥＤ表示回路３１は、中電力送電を行うという意味で、ＬＥＤ１を緑色に点灯させ、ＬＥＤ２を赤色で点滅させる（ステップＳ９）。また、電力切替回路３２はトランジスタＴＲ１２をオンする。トランジスタＴＲ１２がオンすると、スイッチング回路２２からのパルス電圧が１次側コイル１１のタップａに印加され、送電が開始される（ステップＳ１０）。また、判定結果が大の場合、ＬＥＤ表示回路３１は、大電力送電を行うという意味で、ＬＥＤ１を紫色に点灯させ、ＬＥＤ２を赤色で点滅させる（ステップＳ１１）。また、電力切替回路３２はトランジスタＴＲ１３をオンする。トランジスタＴＲ１３がオンすると、スイッチング回路２２からのパルス電圧が１次側コイル１１のタップｂに印加され、送電が開始される（ステップＳ１２）。
【００４９】
トランジスタＴＲ１１、ＴＲ１２、ＴＲ１３を切り替えることにより、スイッチング回路からのパルス電圧が印加される位置が１次側コイル１１の巻線上で変化する。即ち、実際に有効となる１次側コイルの巻数が変化するので、１次側コイル１１：２次側コイル１２の巻数比が変化する。このようにして、受電機器の電力に応じた電力を送電することを可能としている。尚、本実施例は、大、中、小の３段階に切り替えているが、切り換え数を更に増やしても良い。
【００５０】
送電が開始された後も、定期的に搬送波を送信し（ステップＳ１３）、その搬送波に対して返送される変調波に含まれる情報に基づいて、先ず、受電機器である携帯電話機２が送電装置１の上から取り除かれていないかどうかを確認する（ステップＳ１４）。この確認は、ステップＳ３と同様に、送電可否判定回路３３が“受電機器であることを示すコード”に基づいて、受電機器が送電装置１の上に載置されているかどうかを判断する。そして、所定の“受電機器であることを示すコード”が受信できていなければ、受電機器が送電装置１の上から取り除かれたと判断し、電力切替回路３２がトランジスタＴＲ１１、ＴＲ１２、ＴＲ１３の全てをオフして電力出力を停止する（ステップＳ１５）。
【００５１】
一方、所定の“受電機器であることを示すコード”が受信できていれば、受電機器が送電装置１の上に載置されていると認識し、次に、受電機器が送電装置１の上に正しく載置されているかどうかを判断する（ステップＳ１６）。この判断は、ステップＳ４と同様に、送電装置１と携帯電話機２との位置のずれ量が所定のずれ量を超えたかどうかの判定により行われる。そして、このずれ量が所定のずれ量を超えている場合は、送電装置１からの送電は行わないこととし、ステップＳ５と同様に、警告表示としてＬＥＤ１を橙色に点灯させ、ＬＥＤ２は消灯させる（ステップＳ１７）。また、このとき、警告音を発生させるようにしても良い。
【００５２】
一方、送電装置１と携帯電話機２との位置のずれ量が所定のずれ量を超えていない場合は、次に、携帯電話機２が満充電であるかどうかを判定する処理に移行する（ステップＳ１８）。この判定処理は、満充電判定回路３５が、第１復調回路３６で復調された“満充電の情報”に基づいて、携帯電話機２が満充電の状態かどうかを判定して行われる。そして、満充電である場合は、電力切替回路３２がトランジスタＴＲ１１、ＴＲ１２、ＴＲ１３の全てをオフして電力出力を停止し（ステップＳ１９）、受電機器が満充電状態のために送電を停止しているという意味で、ＬＥＤ１を赤色で点灯、ＬＥＤ２を緑色で点灯させ（ステップＳ２０）、搬送波を出力して受電機器の状態の確認を継続する（ステップＳ１３）。一方、満充電でない場合は、送電を行いながら受電機器の状態の確認を継続する（ステップＳ１３）。以上のようにして、送電装置１から携帯電話機２への非接触伝送方式による電力供給が行われる。
【００５３】
また、携帯電話機２を用いて、店で飲食した商品代金、及び／または、店で購入した商品代金、及び／または、店から受けたサービス料金の精算を行うために、送電装置１と携帯電話機２との間では、上述した携帯電話機２の電力に関する情報（“受電機器であることを示すコード”、“消費電力の情報”、“満充電の情報”）である電力情報信号以外に、サーバ５との間で伝送される料金の精算に関する精算情報信号が送受信される。以下に、図３に示す電力供給システムの精算情報信号の送受信動作を説明する。
【００５４】
先ず、サーバ５から店内のネットワーク６を介して第１変調回路３８に精算情報信号が伝送されると、第１変調回路３８は、搬送波発振回路３７からの搬送波をこの精算情報信号で変調し、１次側コイル１１を介して送信する。そして、精算情報信号で変調された第１変調回路３８からの変調波は非接触伝送方式で２次側コイル１２に伝送され、第２復調回路４８で復調される。
【００５５】
一方、第２復調回路４８で復調された精算情報信号に応答して、或いは、携帯電話機２の操作等に応じて携帯電話機２からも精算に必要な精算情報信号が返送される。この携帯電話機２からの精算情報信号は、上述した電力情報信号の送信と同様に、第２変調回路４５で変調され２次側コイル１２を介して送信される。そして、精算情報信号で変調された第２変調回路４５からの変調波は非接触伝送方式で１次側コイル１１に伝送され、第１復調回路３６で復調された後、店内のネットワーク６を介してサーバ５に伝送される。
【００５６】
このようにして、送電装置１を介してサーバ５と携帯電話機２との間で精算情報信号を送受信することができる。従って、店で飲食した商品代金、及び／または、店で購入した商品代金、及び／または、店から受けたサービス料金の精算に必要な精算情報信号をサーバ５と携帯電話機２との間で送受信することにより、携帯電話機２のモバイルバンキング機能を用いての精算が可能になる。次に、このような機能を利用して行う精算の例を説明する。
【００５７】
図５は、図１に示す電力供給システムを用いた精算手順を示すフローチャートである。図５に示すフローチャートは、喫茶店、レストラン、ファーストフード店などの飲食店における精算手順を示している。先ず、客が店員に口頭で注文した内容を店員がＰＯＳ端末４から店のサーバ５に送信し（ステップＳ５１）、ＰＯＳ端末４から送信された客の注文内容が店のサーバ５に届く（ステップＳ５２）。次に、サーバ５は届いた客の注文内容に基づいた注文情報（精算情報信号）を店内のネットワーク６を経由して対応するテーブルに組み込まれた送電装置１へ送信し（ステップＳ５３）、送電装置１にこの注文情報が届く（ステップＳ５４）。そして、送電装置１が上述した精算情報信号の送受信動作により携帯電話機２にこの注文情報を送信し、携帯電話機２にこの注文情報が届く（ステップＳ５５）。そして、携帯電話機２のモバイルバンキングにより支払い（精算）を行なう（ステップＳ５６）。
【００５８】
次に、図６を参照して、携帯電話機２でのモバイルバンキングの手順を説明する。図６は、携帯電話機２でのモバイルバンキングの手順を示すフローチャートである。携帯電話機２でのモバイルバンキングは、送電装置１に設けられている精算処理要求ボタン２０を押すと、携帯電話機２の画面上に、以下のメッセージが表示されるため、メッセージに従い入力していくと、精算を行なうことができる。先ず、精算処理要求ボタン２０を押すと（ステップＳ６１）、精算するかどうかを確認するため、”精算しますか［Ｙ／Ｎ］”というメッセージが表示される（ステップＳ６２）。ここで、［Ｎ］（Ｎｏ）を選択すると、携帯電話機２によるモバイルバンキングは終了し、精算はレジに行って現金等で行うことになる。
【００５９】
一方、「Ｙ」（Ｙｅｓ）を選択すると、精算金額の確認のため、”本日の飲食代は６５０円です。電子精算しますか［Ｙ／Ｎ］”というメッセージが表示される（ステップＳ６３）。ここで、［Ｎ］（Ｎｏ）を選択すると、携帯電話機２によるモバイルバンキングは終了し、精算はレジに行って現金等で行うことになる。一方、「Ｙ」（Ｙｅｓ）を選択すると、モバイルバンキングによる精算が行われ、”精算を完了しました”というメッセージが表示される（ステップＳ６４）。更に、モバイルバンキングにより精算したことを証明するために、”この画面をお帰りの際、店員に提示して下さい。[○月○日精算済み] というメッセージが表示される（ステップＳ６５）。そして、客はこのメッセージを店員に示すだけで店から退出することができる。即ち、客は各テーブルで精算処理を行なうことができるため、多くの客が同時に精算を行い、レジが混み合って待たされるというようなことがなくなる。また、精算のために必ず店員がレジに待機しておく必要もないので、客側、店側の双方に有益である。
【００６０】
また、本実施形態では、飲食店等の店での精算について説明したが、図１に示す電力供給システムは、ホテル、旅館など宿泊施設の客室の精算に利用することも可能である。例えば、宿泊施設の客室のテーブルの天板や冷蔵庫の天板／側面等の器具内に送電装置１が組み込まれており、送電装置１が組み込まれた器具の所定の位置に、携帯電話機２を置くことにより、携帯電話機２の充電が開始される。また、宿泊施設のサーバ５と各部屋の送電装置１がネットワーク６でつながれており、宿泊料金・宿泊人数の情報が、サーバ５から送電装置１に送信される。
【００６１】
各部屋の冷蔵庫内の商品の飲食費等については、冷蔵庫とサーバ５が接続されていれば、サーバ５を経由して各部屋の送電装置１に伝えることが可能である。そして、チェックアウトの際には、送電装置１が組み込まれた器具の所定の位置に携帯電話機２を置き、送電装置１に設けられた精算処理要求ボタン２０を押すと、店での精算と同様の方法で精算を行なうことができる。このようにすると、客は各部屋で精算処理を行なうことができるため、多くの客が同時に精算を行い、フロントが混み合うこともなく、精算に備えて従業員が必ずフロントに待機しておく必要もないという利点がある。
【００６２】
図７は、図１に示す電力供給システムを用いた他の精算手順を示すフローチャートである。図７に示すフローチャートは、鉄道などの乗車料金の精算手順を示している。本例の場合、図１において、送電装置１は（専用）改札口に設置された自動改札機に組み込まれているものとする。また、送電装置１はネットワーク６により、駅のサーバ５とつながっている。
【００６３】
先ず、送電装置１が組み込まれた自動改札機の所定の位置に携帯電話機２を置くと、携帯電話機２の急速充電が開始される（ステップＳ７１）。次に、携帯電話機２に発駅情報が記録されるとともに、駅のサーバ５と接続されている鉄道会社のコンピュータに個人情報（携帯電話機２のＩＤ情報）と発駅情報が記録される（ステップＳ７２）。そして、携帯電話機２を持った利用者は列車に乗り移動する（ステップＳ７３）。
【００６４】
次に、目的の駅に到着した利用者は、到着駅の改札口に設置された自動改札機に組み込まれている送電装置１に、携帯電話機２を置く（ステップＳ７４）。そして、携帯電話機２に記録された発駅情報および個人情報（携帯電話機２の機器ＩＤ）に基づいて、到着駅のサーバ５を介して鉄道会社のコンピュータに記録された発駅情報／個人情報も参照されて、乗車料金がモバイルバンキングにより支払われる（ステップＳ７５）。このようにすると、行先までの乗車料金を探して切符を購入するという煩わしい作業から開放される。また、現金での支払いがないため、現金を持ち歩く必要もなく、万一持ち合わせがない場合でも鉄道を利用することができるというメリットがある。また、鉄道会社ごとに複数のプリペイドカードを持つ必要もなくなる。
【００６５】
図８は、図１に示す電力供給システムを用いた他の精算手順を示すフローチャートである。図８に示すフローチャートは、鉄道などの乗車切符購入代金の精算手順を示している。本例の場合、図１において、送電装置１は駅の切符発券所に備えられた切符発券機に組み込まれているものとする。この切符発券機は駅のサーバに接続されており、また、送電装置１はネットワーク６により、駅のサーバ５とつながっている。
【００６６】
先ず、送電装置１が組み込まれた切符発券機の所定の位置に携帯電話機２を置くと、携帯電話機２の急速充電が開始される（ステップＳ８１）。次に、切符発券機の行先までの料金が表示された金額ボタンを押すと（ステップＳ８２）、駅のサーバ５と接続されている鉄道会社のコンピュータに個人情報（携帯電話機２の機器ＩＤ）と切符の購入金額情報が記録され、この購入金額がモバイルバンキングにより支払われる（ステップＳ８３）。そして、切符発券機から切符が発券される（ステップＳ８４）。本利用方法では、切符を買うときに、補充電を行なうため携帯電話機２の電池の消耗を防ぐことが可能である。また、現金での支払いがないため、現金を持ち歩く必要もなく、万一持ち合わせがない場合でも切符を購入することができるというメリットがある。また、鉄道会社ごとに複数のプリペイドカードを持つ必要もなくなる。
【００６７】
以上説明したように、本発明に係る電力供給システムを搭載した送電装置１は、受電機器の電力に応じて必要な送電電力を大電力、中電力、小電力の３段階に切り替えて送電することができるので、１つの送電装置で異なる種類の電子機器に電力を供給することができる。また、送電装置１に接続されたサーバ５と携帯電話機２との間で情報信号を送受信できる。そのため、送電装置１が組み込まれた器具が備えられているところで携帯電話機２のモバイルバンキング機能により料金の精算を行うことができ、飲食店やホテルにおいてレジやフロントに行って料金の精算をする必要がなくなる。また、駅においては、携帯電話機２のモバイルバンキング機能により切符購入代金の精算を行うことで、切符発券機に現金を投入することなく切符を購入することができる。更に、送電装置１が自動改札機に組み込まれている場合は、携帯電話機２で乗車料金の精算を行うことができるので、切符を購入することなく、また、複数のプリペイドカードを持たずとも、各鉄道会社の交通手段を利用することができる。
【００６８】
尚、以上の説明は、本発明の実施形態の電力供給システムを搭載した装置として送電装置と携帯電話機を例に説明したが、本発明に係る電力供給システムは、送電装置と携帯電話機に限らず、他の電子機器にも適用できる。また、本発明は上述の実施形態に限定されるものではなく、本発明の趣旨を逸脱しない範囲において各部の構成等を適宜に変更して実施することも可能である。
【産業上の利用可能性】
【００６９】
本発明によれば、商用電源が与えられる送電装置から受電機器へ電気的に非接触な方式で電力を供給する電力供給システムにおいて、前記送電装置と受電機器と前記送電装置に接続された外部装置との間で情報信号を伝送する信号伝送制御手段と、前記受電機器から前記送電装置に伝送される情報信号が示す前記受電機器の電力に応じて送電電力を調整する電力調整手段とを設けたので、１つの送電装置で異なる種類の受電機器に電力を供給することができるとともに、前記受電機器を用いて料金の精算を行うことができる電力供給システムが実現できる。
【図面の簡単な説明】
【００７０】
【図１】は、本発明の実施形態の電力供給システムの電気的構成を示すブロック図である。
【図２】は、図１に示す送電装置と携帯電話機の内部の概略構成を説明するための図である。
【図３】は、図１、図２に示す送電装置と携帯電話機の電気的構成を示すブロック図である。
【図４】は、図３に示す送電装置の電力供給動作を示すフローチャートである。
【図５】は、図１に示す電力供給システムを用いた精算手順を示すフローチャートである。
【図６】は、携帯電話機でのモバイルバンキングの手順を示すフローチャートである。
【図７】は、図１に示す電力供給システムを用いた他の精算手順を示すフローチャートである。
【図８】は、図１に示す電力供給システムを用いた他の精算手順を示すフローチャートである。
【図９】は、従来の電力供給システムを搭載した携帯電話機とそのＡＣアダプタの外観を示す外観図である。
【図１０】は、従来の他の電力供給システムを搭載したノートパソコンとそのＡＣアダプタの外観を示す外観図である。
【図１１】は、従来の他の電力供給システムを搭載したシェーバーとそのＡＣアダプタの外観を示す外観図である。
【符号の説明】
【００７１】
１    送電装置
２    携帯電話機（受電機器）
４    ＰＯＳ端末
５    サーバ（外部装置）
６    ネットワーク
１０    １次側回路
１１    １次側コイル
１２    ２次側コイル
１３    ２次側回路
１４    充電制御回路
１５    １次側コア（フェライト）
１６    ２次側コア（フェライト）
１７    電源用回路
１８    電力供給制御回路（電力調整手段）
１９    信号伝送制御回路（信号伝送制御手段）
２１、２５、４１    整流回路
２２    スイッチング回路
２３    トランス
２４    送電制御ＩＣ（電力調整手段、信号伝送制御手段）
３１    ＬＥＤ表示回路
３２    電力切替回路
３３    送電可否判定回路
３４    電力量判定回路
３５    満充電判定回路
３６    第１復調回路（第１復調手段）
３７    搬送波発振回路（搬送波発振手段）
３８    第１変調回路（第１変調手段）
４２    受電制御ＩＣ（信号伝送制御手段）
４３    クロック抽出回路（クロック抽出手段）
４４    パワーオンリセット回路（搬送波検知回路）
４５    第２変調回路（第２変調手段）
４６    電圧クランプ回路
４７    レギュレータ
４８    第２復調回路（第２復調手段）
Ｃ１、Ｃ２、Ｃ３、Ｃ４    コンデンサ
Ｌ１、Ｌ２、Ｌ３    コイル
Ｒ１、Ｒ２    抵抗
ＬＥＤ１、ＬＥＤ２    発光ダイオード
ＴＲ１、ＴＲ２、ＴＲ１１、ＴＲ１２、ＴＲ１３    トランジスタ
【図１】
2005110421.tif 000003
【図２】
2005110421.tif 000004
【図３】
2005110421.tif 000005
【図４】
2005110421.tif 000006
【図５】
2005110421.tif 000007
【図６】
2005110421.tif 000008
【図７】
2005110421.tif 000009
【図８】
2005110421.tif 000010
【図９】
2005110421.tif 000011
【図１０】
2005110421.tif 000012
【図１１】
2005110421.tif 000013